(57)【要約】データ記憶デバイスに取り付けられる第１の面と、平坦な固定支持表面に取り付けられる第２の面とを有する取付部材を使用して、データ記憶デバイスを平坦な固定支持表面に取り付けるための装置及び方法である。取付部材は、質量中心の周りのディスク・ドライブの回転を妨げるようにデータ記憶デバイスの質量中心の周りに位置付けされる。
2004510280.tif 000002
【特許請求の範囲】
【請求項１】
データ記憶デバイスを平坦な固定支持表面に取り付けるための装置であって、データ記憶デバイスが、平坦な外部表面を有する外ハウジングと、回転軸の周りを回転するハウジング内の記憶媒体とを有し、データ記憶デバイスが、前記ハウジング内に質量中心を有し、前記回転軸に平行で、かつ、前記平坦な外部表面を貫通して延びる質量軸線を有する、前記装置が、
前記データ記憶デバイスの前記平坦な外部表面に取り付けられて、前記質量軸線の周りに延在する第１の表面と、前記平坦な固定表面に固定するための第２の表面とを有する取付部材を備える装置。
【請求項２】
前記取付部材が、前記質量軸線の周りに対称に配置されている、請求項１に記載の装置。
【請求項３】
前記取付部材が、前記質量軸線の周りにほぼ対称に配置される円形の外部周線を有する、請求項２に記載の装置。
【請求項４】
前記取付部材が、該取付部材内部のせん断力を減衰させるための減衰手段を備える、請求項１に記載の装置。
【請求項５】
前記取付部材の形状が、前記質量軸線の周りにほぼ対称に配置される外部周線を有する環状形である、請求項２に記載の装置。
【請求項６】
前記取付部材が、粘弾性特性を有する減衰材からなる、請求項２に記載の装置。
【請求項７】
前記データ記憶デバイスが頂部カバーを備え、前記平坦な外部表面が前記頂部カバー上に配置され、前記取付部材が重合体粘弾性両面接着フィルムを備え、その第１の表面が両面接着フィルムの一方の側面である、請求項１に記載の装置。
【請求項８】
第１の接着面と第２の接着面とを有する取付部材を使用して、データ記憶デバイスを平坦な固定支持表面に固定するための方法であって、データ記憶デバイスが、平坦な外部表面を有する外ハウジングと、回転軸の周りを回転するハウジング内の記憶媒体とを有し、データ記憶デバイスが、ハウジング内に質量中心を有し、前記回転軸に平行で、かつ、前記平坦な外部表面を貫通して延びる質量軸線を有するデータ記憶デバイスを前記平坦な固定支持表面に固定するための方法が、
（ａ）前記データ記憶デバイスの前記質量中心を決定するステップと、
（ｂ）前記取付部材の前記第１の接着面を、前記取付部材が前記質量軸線の周りを延びるように、前記データ記憶デバイスの前記平坦な外部表面に取り付けるステップと、
（ｃ）前記取付部材の前記第２の接着面を前記平坦な固定支持表面に取り付け、それにより前記平坦な固定支持表面に前記データ記憶デバイスを固定するステップとを含む方法。
【請求項９】
前記取付けステップ（ｂ）が、前記取付部材の第１の接着面を、前記取付部材の外部周線が前記質量軸線の周りに対称に配置されるように、前記データ記憶デバイスの前記平坦な外部表面に取り付けるステップをさらに含む、請求項８に記載の方法。
【請求項１０】
前記取付部材が、環状形状の重合体粘弾性両面接着フィルムを備え、前記取付けステップ（ｂ）が、前記取付部材の第１の接着面を、前記取付部材が前記質量軸線の周りに対称に配置されるように、前記データ記憶デバイスの前記平坦な外部表面に取り付けるステップをさらに含む、請求項８に記載の方法。
【発明の詳細な説明】
【０００１】
（関連出願）
本出願は、２０００年５月２２日出願の米国仮出願第６０／２０５，９３１号の優先権を主張する。
（発明の分野）
本出願は、一般にデータ記憶デバイスの取付けに関し、より詳細には、ディスク・ドライブの質量中心の周りに配置される取付け手段を使用した、平坦な表面へのディスク・ドライブの取付けに関する。
【０００２】
（発明の背景）
ディスク・ドライブは、ワークステーション、パーソナル・コンピュータ、携帯型コンピュータ・システム及びその他のコンピュータ・システムに広く使用され、大量のデータを、ユーザがいつでも利用することができる形で記憶している。一般に、ディスク・ドライブは、スピンドル・モータによって一定の高速で回転する１つ又は複数の磁気ディスクを備えている。各ディスクの表面は、内径及び外径を有するバンドを挟んで、半径方向に互いに間隔を隔てて配置された一連のデータ・トラックに分割されている。データ・トラックは、ディスクの周りを円周状に延び、ディスク表面上の半径方向のトラック区域内における磁束変化の形でデータを記憶している。典型的には、各データ・トラックは、固定サイズのデータ・ブロックを記憶する多数のデータ・セクタに分割されている。
【０００３】
ヘッドは、特定のデータ・トラックの磁気変化を検出して、そのトラックに記憶されているデータを読み出し、あるいは特定のデータ・トラックにデータを書き込むために、そのトラックに磁気変化を誘導する電気信号を送信する磁気変換器などの相互作用素子を備えている。ヘッドは、ディスクの回転に応じて、ヘッドの能動素子を、ディスクのデータ・トラック上の磁気変化との相互作用に適した位置に位置付けする読出し／書込みギャップを備えている。
【０００４】
当技術分野で知られているように、各ヘッドは、回転アクチュエータ・アームに取り付けられ、そのアクチュエータ・アームによって、ディスクの予め選択されたデータ・トラック上に選択的に位置付けされ、それにより予め選択されたデータ・トラックからデータを読み出し、あるいは予め選択されたデータ・トラックにデータを書き込むことができる。ヘッドは、ディスクの回転によって生じる流体気流により、ヘッドをディスク表面のデータ・トラック上を浮上させるエア・ベアリング表面を有するスライダ・アセンブリを備えている。
【０００５】
通常、複数のディスクが互いに頂部を上にして積み重ねられ、積み重ねられたディスクの表面が、アクチュエータ・アセンブリすなわち「Ｅ−ブロック」を備えたアクチュエータ・アームの相補スタック上に取り付けられたヘッドによってアクセスされる。通常、Ｅ−ブロックは、ヘッドからフレックス回路へ電気信号を伝導するヘッド・ワイヤを備えている。フレックス回路は、その電気信号をディスク・ドライブ・ベース・デッキに取り付けられた印刷回路基板（ＰＣＢ）に伝導している。
【０００６】
ディスク表面のトラックからトラックへの読出し／書込みヘッドの移動の制御は、一般的に閉ループ・サーボ・システムを使用して実現されている。このようなサーボ・システムは、通常、製造時にディスク表面に記録されたサーボ情報を利用して一般情報を入手し、特定のトラック番号及び読出し／書込みヘッドに対するディスクのセンサ位置を画定している。アクセス・コマンドがディスク・ドライブに送られると、ディスクに対する読出し／書込みヘッドの現在位置と、所望のデータ転送を実行する位置との間の比較が内部的に実施される。読出し／書込みヘッドの現在位置が既に所望のトラック上にある場合、ディスク・ドライブは、ディスクが回転して円周上の正しい位置が読出し／書込みヘッドの下にくるまで単純に待機し、要求されたデータ転送を開始する。しかし、アクチュエータの現在位置以外の位置にデータを転送する場合は、サーボ・ロジックによって、読出し／書込みヘッドを目標トラックへ移動させるためにアクチュエータが移動するべき距離及び方向が決定される。サーボ・ロジックは、この決定に基づいて、アクチュエータ・ボイス・コイル・モータ（ＶＣＭ）のコイルに制御された直流電流を供給し、それにより現行トラック位置から目標トラックへアクチュエータが移動する。
【０００７】
このような「トラック探索」オペレーションの間、サーボ・ロジックは、予め記録されているサーボ・データをディスク表面から読み出すことによって、アクチュエータの動的位置をモニタし、読出し／書込みヘッドを目標トラックまでの残りを移動させるやり方で、ＶＣＭに供給する電流を制御している。
【０００８】
サーボ・システムの第２の機能は、隣接するトラックを不用意にアクセスすることなくデータ転送を達成することができるように、読出し／書込みヘッドを目標トラックの中心線上に維持することである。この「トラック追従」機能は、トラック中心線との読出し／書込みヘッドの関係に比例した位置誤差信号（ＰＥＳ）を常時モニタすることによって実現されている。つまり、読出し／書込みヘッドが完全にデータ・トラックの中心上にある場合、ＰＥＳはゼロであり、アクチュエータＶＣＭに電流は供給されない。読出し／書込みヘッドがトラックの中心線から少しでも外れると、読出し／書込みヘッドがトラックの中心線から変位した方向を反映した極性を有するＰＥＳが生成される。サーボ・システム・ロジックは、このＰＥＳを使用して修正信号を生成し、ＰＥＳが再びゼロになり、読出し／書込みヘッドがデータ・トラックと再び正しく整列したことを示すまで、読出し／書込みヘッドをトラックの中心線に向けて移動させる。
【０００９】
ディスク・ドライブ産業の１つの傾向は、ドライブの物理サイズすなわちフォーム・ファクタを維持し、あるいは小さくする一方で、ディスク・ドライブの容量、すなわち２．５４ｃｍ（１インチ）当たりのトラック（ＴＰＩ）を増加させることである。ディスク・ドライブのＴＰＩが増加すると、ヘッドを所望のトラック上で正確に維持することがますます困難になり、その結果、ディスク・ドライブは、ディスク・ドライブ内における剛体振動モードの自励などの振動にますます敏感になる。一般的に、サーボ・ループ設計における期待は、サーボ・システムによって導かれる、回転位置アクチュエータ及びその結果得られる所与のトラック上のヘッドの位置と、ＰＥＳによって示される、トラック内におけるサーボ・データの半径方向の位置とが、完全に空間中で固定されつづけることである。アクチュエータの所望の回転運動に伴って、ディスク面に沿った望ましくない直線運動及びディスク・ドライブ・ベースの望ましくない回転運動が生じると、雑音としてＰＥＳに現われることになる。したがって、正確にトラックを追従するディスク・ドライブ・サーボ・システムの能力は、ディスク・ドライブの自励の存在との兼ね合いである。
【００１０】
この産業には、これまで以上にディスク・ドライブのフォーム・ファクタを小さくし、かつ、これまで以上に記憶容量を大きくするという、一般的な傾向の他に、ディスク・ドライブによって生成されるアコースティック・エミッションのレベルを小さくするという傾向が存在している。
【００１１】
通常、ディスク・ドライブからのアコースティック・エミッションは、上で説明したように、ドライブの自励によってディスク・ドライブの頂部カバー及びベースに誘導される共振振動によって生成される。また、ディスク・ドライブ内における剛体振動モードの自励は、例えばディスク・ドライブを取り付けるコンピュータ・システムのハウジングに伝達される。通常、この伝達は、コンピュータ・ハウジングの内部でディスク・ドライブを取り付けているブラケットを通して発生する。例えば、最も広く使用されているタイプのディスク・ドライブ・マウントは、薄鋼板製の成型コンパートメント又はブラケットにディスク・ドライブを接続するねじである。典型的な場合、このねじは、ブラケット中の孔を通して立ち上げられ、ディスク・ドライブのベースの周囲に穿たれたねじ孔に取り付けられている。残念なことには、この方法によるディスク・ドライブの取付けは、ディスク・ドライブからコンピュータのハウジングへ伝達される雑音及び振動に対する金属間の直接伝導経路をもたらしている。
【００１２】
典型的には、ディスク・ドライブとブラケットの間のねじに沿って配置されたグロメット様ダンパを使用して、ディスク・ドライブの自励によって生じる雑音を、ブラケット、従ってコンピュータのハウジングから分離するための試行がなされているが、この種の取付による結果は、必ずしも満足すべきものではない。また、これらのダンパは、ばねとして特性化されるため、ダンパのばね様属性が、しばしばディスク・ドライブのアクチュエータ誘導自励応答として作用している。
【００１３】
ディスク・ドライブの自励を生成し、雑音の原因となる取付けシステムの設計で、ディスク・ドライブの製造者が抱えている共通の問題は、ディスク・ドライブの製造者が、顧客によるディスクの接続又は取付け方法に対して、最小かつ穏やかな制御しか有していないことである。例えば、ディスク・ドライブのユーザの中には、ディスク・ドライブを取り付けるために、ほんの数個のねじ位置しか使用していないため、ディスク・ドライブ取付けの安定性が悪くなっているユーザもある。複数のドライブを隣接するシャシ位置中に取り付ける場合、さらに自励問題が追加される。この問題が発生すると、これらのドライブがその動的機械挙動において隔離されることを保証する手立てはない。このことは、例えば１つのドライブが探索中であり、他のディスク・ドライブがトラック追従を試行している場合、特に言えることである。取り付けられた２つのドライブに生じる振動の結合は、上で考察した振動及び雑音の問題を、よりいっそう悪化させることになる。
【００１４】
したがって、ディスク・ドライブを取り付けるための、ディスク・ドライブ内における剛体振動及びディスク・ドライブからのアコースティック・エミッションの緩和を促進する手法が必要である。
【００１５】
（発明の概要）
本発明の実施形態は、以上の背景の下に開発されたものである。本発明の実施形態は、データ記憶デバイスを平坦な固定支持表面に取り付けるための方法及び装置を備えている。本発明の一実施形態では、第１及び第２の面を有する取付部材は、第１の面を介してデータ記憶デバイスの平坦な外部表面に取り付けられている。取付部材は、取付部材がディスク・ドライブの質量中心の周りを延びるように、あるいは質量中心を覆うように、平坦な外部表面に好ましく取り付けられている。取付部材の第２の面は、平坦な固定支持表面に取り付けられている。この方法により、ディスク・ドライブのその質量中心の周りの回転を少なくし、あるいは禁じるやり方で、ディスク・ドライブが平坦な固定表面に固定され、それによりディスク・ドライブ中の自励による影響が緩和される。
【００１６】
本発明の他の実施形態では、取付部材は、好ましい環状形状をしており、重合体粘弾性減衰材でできている。本発明のさらに他の実施形態では、取付部材は、ディスク・ドライブの質量中心の周りに対称に配置された環状形重合体粘弾性両面接着フィルムを備えているのが好ましい。
【００１７】
本発明の実施形態を特徴付けるこれら及び他の様々な特徴及び利点は、以下の詳細説明を読むことによって、また、関連図面を考察することによって明らかになるであろう。
【００１８】
（詳細な説明）
概ね、本開示は、データ記憶デバイスを取り付けるための方法及びシステムを説明したものである。より詳細には、本開示は、粘弾性減衰材を使用した、コンピュータのハウジングの内部などの平坦な表面へのデータ記憶デバイスの取付けを説明したものである。さらに詳細には、本開示は、平坦な表面へのディスク・ドライブの質量中心の周りに対称に心出しされた両面粘弾性テープを介したディスク・ドライブの取付けを説明したものである。
【００１９】
以下は、本発明を使用することができる例示的データ記憶デバイスについて説明したものである。詳細には、図１に示すディスク・ドライブ１００のようなディスク・ドライブ・システムに対する本発明の実践が説明されている。本発明について、本明細書においては、そのディスク・ドライブに関連したアプリケーションに関して説明するが、本発明が、その使用をディスク・ドライブに限定されないことを理解すべきである。この点に関し、本発明は、本発明の範囲を逸脱することなく、光ドライブ又は他の非ディスク・ドライブ・データ記憶デバイスなど、他の多くのデータ記憶デバイスに使用することができる。
【００２０】
図１は、本発明の好ましい実施形態に従って構築されたディスク・ドライブ１００を示したものである。ディスク・ドライブ１００はベース１０２を備えており、ベース１０２にはディスク・ドライブ１００の様々なコンポーネントが取り付けられている。一部切断して示す頂部カバー１０４は、ディスク・ドライブのための内部密閉環境を、ベース１０２と共に従来の方式で形成している。図１に示すように、内部コンポーネントは、スピンドル・ハブ１０９に接続された１つ又は複数のディスク１０８を備えたディスク・スタック１０６を備えている。スピンドル・ハブ１０９に接続されているスピンドル・モータ（図示せず）が、ディスク・スタック１０６を一定の高速で、ベース１０２に取り付けられた固定スピンドル・シャフト（図示せず）の周りに回転させている。情報は、探索オペレーションの間、ベアリング・シャフト・アセンブリ１１２の周りを回転する、ベース内のディスク１０８に隣接する位置に取り付けられたアクチュエータ・アセンブリ１１０を使用して、ディスク１０８上のトラックに書き込まれ、あるいはトラックから読み出される。アクチュエータ・アセンブリ１１０は、ディスク１０８に向かって延びた複数のアクチュエータ・アーム１１４を備えており、アクチュエータ・アーム１１４の各々から１つ又は複数のフレクシャ１１６が延びている。フレクシャ１１６の各々の末端に、エア・ベアリング・スライダを備えたヘッド１１８が取り付けられている。エア・ベアリング・スライダは、関連するディスク１０８の対応する表面上を、極めて近接してヘッド１１８を浮上させている。
【００２１】
一対のコイル支持部材１２８及び１３０が、アクチュエータ・アセンブリ１１０に接続され、かつ、ベアリング・シャフト・アセンブリ１１２の対向する側に配置されている。コイル支持部材１２８と１３０の間にコイル１２６が取り付けられている。コイル１２６は、ドライブ・ベース１０２に貼り付けられ、かつ、コイル１２６の上及び／又は下に配置された１つ又は複数の永久磁石１３２と共に、ボイス・コイル・モータ（ＶＣＭ）１２４を形成している。
【００２２】
探索オペレーションの間、ヘッド１１８のトラック位置は、ボイス・コイル・モータ（ＶＣＭ）１２４を使用して制御される。ＶＣＭ１２４の２つのコイル支持部材１２８及び１３０は、永久磁石１３２が放つ垂直方向に導かれた磁界と共同して作用している。コイル１２６に電流が流れると、電流と磁界の相互作用の結果として、アクチュエータ・アセンブリ１１０の各コイル支持部材１２８及び１３０に、電流による円周方向に導かれた力が（ベアリング・シャフト・アセンブリ１１２に対して、また、ディスク１０８と並行な平面内に）発生する。コイル支持部材１２８及び１３０に発生した力には、幾分か回転の意味が含まれている。つまり、コイル支持部材１２８及び１３０中の２つの力の有効作用点は、ベアリング・シャフト・アセンブリ１１２から同じ半径にある。ベアリング・シャフト・アセンブリ１１２からその有効半径で作用するこれらの力の和によって、ベアリング・シャフト・アセンブリ１１２の周りにアクチュエータ・アセンブリ１１０を回転させるために必要なトルクが発生する。この電流の大きさ及び極性を時間と共に変化させることにより、アクチュエータ・アセンブリ１１０、従ってヘッド１１８が、ディスク１０８上の所望の回転位置に導かれる。
【００２３】
上で考察したように、ディスク・ドライブ内における剛体モード振動の自励は、ドライブの多くの振動問題の原因になっている。通常、これらの自励は、アクチュエータ自励及びスピン・モータ励起の２つが原因となって生じる。
【００２４】
典型的な設計では、アクチュエータ・アセンブリのジオメトリは、コイル支持部材１２８及び１３０中の力の半径方向の成分を互いに相殺するようになっている。したがって、コイル支持部材１２８及び１３０中の円周方向の力の残りの成分が合計され、それにより、コイル１２６に対して円周方向に作用する単一の正味の力が存在することになる。機械的観点からすると、偶力（モーメント）が同時に導入される限り、概念的にはこの１つの力に、ベアリング・シャフト・アセンブリ１１２に対する平行「並進」を与えることができる。したがって、印加される、アクチュエータ・アセンブリ１１０に作用する力及びモーメントは、実際はベアリング・シャフト・アセンブリ１１２に印加される力及びモーメントである。ベース１０２に接続されたベアリング・シャフト・アセンブリ１１２からの力は、アクチュエータ・アセンブリ１１０に印加される反作用に過ぎない。ベース１０２の運動によって生じるピボット・ポイントの運動（線形加速）が大きなものでない限り、印加される力と反作用による力は平衡している。一方、ベアリング・シャフト・アセンブリ１１２のボール・ベアリングにより、印加されるモーメントと平衡する反作用トルクが存在しないため、アクチュエータの慣性に応じて、アクチュエータ・アセンブリ１１０に回転加速度が付与される。
【００２５】
ベース１０２だけを考察してみると、ＶＣＭ１２４に直接起因する励起は、ベアリング・シャフト・アセンブリ１１２に印加される軸反作用力のみである。ベアリング・シャフト・アセンブリ１１２のベース１０２に印加されるモーメントは存在しないが、他の要因を考慮しなければならない。詳細には、ＶＣＭ１２４の設計は、面内反作用力が永久磁石１３２の内部に展開される設計になっている。永久磁石１３２に印加される正味の力は、コイル１２６に印加される正味の力と同じ大きさであるが、その方向は逆方向になっている。
【００２６】
ベアリング・シャフト・アセンブリ１１２とベース１０２の接続ポイントにおける力と永久磁石１３２内の力は、大きさは同じであるが互いに方向が逆であるため、２つの力は共に偶力を構成している。この偶力は、アクチュエータ・アセンブリ１１０の運動を必要とするオペレーションによって生じるベース励起に過ぎない。この偶力の大きさは、大よそＫｔ×Ｉ（ｔ）に等しい。Ｋｔは、ボイス・コイル・モータのトルク定数であり、Ｉ（ｔ）は、ボイス・コイルに印加される時間依存電流である。重要なことは、偶力の大きさがコイル１２６に印加される電流波形の振幅に依存しているため、偶力の周波数成分が、コイル１２６に印加される電流波形の周波数成分と同じであることである。
【００２７】
ベアリング・シャフト・アセンブリ１１２とベース１０２の接続ポイントにおける力と永久磁石１３２内の力が偶力を形成しているため、ＶＣＭ１２４の励起により、ベース１０２が、慣性座標系においてディスク・ドライブ１００の質量中心の周りに回転する傾向にある。通常、ディスク・ドライブの質量中心１３６は、図１に示すように、ベアリング・シャフト・アセンブリ１１２の中心とスピンドル・モータの回転中心との間に引かれる線１３８のほぼ中間に位置している。図３に示すように、質量中心１３６は、質量中心１３６から延びる質量軸線２１６を画定している。同じく図３に示すように、質量軸線２１６は、ディスク・ドライブ１００のディスク１０８の回転軸に対して平行に、かつ、頂部カバー１０４に対して直角に延びている。
【００２８】
ベースの回転は、ディスク・ドライブ１００全体の回転慣性によって妨げられる。現行の典型的な８．８９ｃｍ（３．５インチ）ハード・ディスク・ドライブの場合、この慣性は、回路基板を含み、約０．０２５４ｃｍ（０．０１インチ）×ｌｂ×ｓｅｃ２の値を有している。また、ベースの回転は、ディスク・ドライブをシャシに固定するために使用される取付の数、タイプ及び位置によって拘束される。典型的なディスク・ドライブの場合、図２に示すように、シャシに使用するための９個の異なる多方向のねじ孔が、ベース１０２の周囲の位置に穿たれ、タップされている。典型的なディスク・ドライブの場合、ドライブは、これらのねじによってコンピュータ・シャシ内の厚さ約０．１ｃｍ（０．０４５インチ）の薄鋼板製成型コンパートメントに接続されている。
【００２９】
第２のタイプのディスク・ドライブ自励は、典型的には、ディスク・スタック１０６の質量中心がディスク１０８のスピン軸線上に完全に位置していないことに起因するスピンドル・モータ／ディスク・スタックの残留アンバランスによって生じるスピン・モータ自励である。このアンバランスは、機械的にはディスク・スピン軸線に印加される力のベクトルと同様に作用し、ディスク・スタック１０６のスピン速度で回転させることになる。このアンバランスの大きさは、回転スタック１０６の質量、スタック１０６の質量中心がスピン軸線から逸脱している距離、及びスピン速度の二乗に比例している。上で考察したように、このアンバランスによる力のベクトルは、偶力が同時に導入される場合、ディスク・ドライブの質量中心１３６に「移行」させることができる。スタック１０６の質量中心に印加される力のベクトルは、それぞれ時間によってスピン周波数で変化する、ディスクの平面に沿った９０度位相が外れたｘ及びｙ高調波に分離することができる。ディスク・ドライブ１００の総質量を通して作用するこの２つの力の成分には、ディスク・ドライブ１００のｘ及びｙ方向の高調波線形加速度をスピン周波数で生成する傾向がある。アンバランス偶力には、ディスク・ドライブ１００の質量中心１３６の周りにディスク・ドライブ１００の高調波回転を生成する傾向がある。ディスク・スタック１０６に起因する自励が、ＶＣＭ１２４に起因する自励と同時に発生すると、この２つの自励が合計され、ディスク・ドライブ１００の質量中心の周りに複雑な回転自励時間履歴が生成されることになる。
【００３０】
ディスク・ドライブ１００の質量中心１３６の周りの高調波回転を拘束する方法の１つは、ディスク・ドライブ１００全体の回転慣性を大きくすることであるが、ディスク・ドライブ産業には、より小型かつ軽量のドライブを製造する傾向があるため、特に小フォーム・ファクタ・ディスク・ドライブの場合、この方法が実現可能なオプションではないことは理解されよう。
【００３１】
また、ベースの回転は、ドライブの質量中心の周りの回転を防止し、あるいは拘束する信頼性の高い方法で、ディスク・ドライブ１００を確実に固定することによって拘束することができる。したがって、また、以下で考察するように、本発明の様々な実施形態は、ディスク・ドライブをその質量中心の周りの回転を拘束するやり方で、その動作環境内に高い信頼性で固定することを対象としている。
【００３２】
ここで図２を参照すると、本発明の一実施形態は、一般に、コンピュータ・ハウジング２１２の内部壁などの平坦な固定表面２１０への、ディスク・ドライブ１００などのデータ記憶デバイスの取付けに関している。図２に示すように、ディスク・ドライブ１００は、ディスク・ドライブ１００と平坦な固定表面２１０の間に設けられた取付部材２１４を介して、コンピュータ・ハウジング２１２内の平坦な表面２１０に好ましく固定され、ディスク・ドライブは、取付部材２１４の第１の面２１８に取り付けられ、取付部材の第２の面２２０は、平坦な固定表面２１０に取り付けられている。
【００３３】
取付部材へのディスク・ドライブ１００の取付け、及び平坦な固定表面２１０への取付部材の取付けは、様々な方法で実現することができる。例えば、接着剤を使用してディスク・ドライブ１００に取付部材２１４を取り付けることができる。同様に、接着剤を使用して平坦な表面２１０に取付部材２１４を取り付けることができる。別法としては、ヴェルクロ（商標）を使用してディスク・ドライブ１００及び／又は平坦な固定表面２１０に取付部材を取り付けることもできるが、以下で極めて詳細に説明するように、好ましい実施形態では、取付部材２１４は、両面接着テープを備えている。
【００３４】
図３に示すように、取付部材２１４は、取付部材２１４が質量軸線２１６を覆い、あるいは取り囲むように、ディスク・ドライブ１００の頂部カバー１０４上に好ましく配置されている。同じく図３に示すように、取付部材２１４は、ディスク・ドライブ１００の質量中心１３６の質量軸線２１６の周りに同軸状に配置された環状リングを好ましくは備えている。取付部材２１４の形状が環状であるため、ディスク・ドライブ１００の回転自励力を取付部材２１４中に均一に分散させることができ、それによりディスク・ドライブ１００の質量中心１３６周りの回転が拘束されている。
【００３５】
図３には、形状が環状の取付部材２１４が示されているが、多数の代替形状の取付部材２１４を使用することができることを理解すべきである。例えば代替実施形態では、取付部材４１４は、図４に示すように、円形すなわち円板状である。環状の取付部材２１４の場合と同様、円板状取付部材４１４も、取付部材２１４を備えたディスク・ドライブ１００の回転自励力の均一な分散を提供している。取付部材の可能な形状の他の実施例には、図５に示す十字形取付部材５１４、あるいは図６に示すように、頂部カバー１０４と完全に一致する形状の取付部材６１４が含まれている。また、取付部材２１４は、ディスク・ドライブの質量中心１３６の周りに間隔を隔てて配置される多数の個別取付部材の形態を取ることもできる。使用されている取付部材２１４の形状あるいは数には無関係に、ディスク・ドライブ１００の質量中心１３６の質量軸線２１６は、取付部材２１４の領域内あるいは外部円周上に位置付けされることが好ましい。この方法により、ディスク・ドライブ１００の回転自励力を取付部材２１４中に均一に分散させることができる。取付部材２１４の外径を調整することにより、吸収される力の量及び特性を修正し、あるいは調整することができる。
【００３６】
取付部材２１４が頂部カバーの広い範囲に渡って適用される場合、取付部材２１４の形状には無関係に、平坦な固定表面２１０へのディスク・ドライブの結合プロセスにより、音響減衰用として典型的にディスク・ドライブに使用されている拘束層と等価の拘束層系が形成される。したがって、拘束層ダンパの音響減衰効果を維持しつつ、離散拘束層ダンパ部分の必要性がなくなり、それによりディスク・ドライブ１００のコストが大きく節約される。
【００３７】
本発明の好ましい実施形態では、取付部材２１４は、重合体粘弾性減衰材からなっている。当分野の技術者には明らかなように、重合体粘弾性減衰材のこわさ特性及び減衰特性は、せん断作用を通して、ディスク・ドライブ１００の質量中心周り回転の効果的な防止に寄与している。また、ディスク１０８に平行な平面内におけるドライブの直線運動も、同じせん断作用を受けるため、同様に制限されることになる。当分野の技術者にはやはり明らかなように、求めている主要目的に応じて、様々な重合体化合物を取付部材２１４用として選択することができる。これらの目的の中には、特定の周波数に対するディスク・ドライブ１００の動的性能、平坦な表面３１０からのディスク・ドライブ１００の取外し及び／又は交換の容易性、取扱い、清潔性、及び環境要素等が挙げられよう。
【００３８】
本発明の好ましい実施形態では、取付部材２１４は、厚さ約０．００２５４ｃｍ（０．００１インチ）〜０．１２７ｃｍ（０．０５０インチ）の重合体粘弾性両面接着フィルムを備えている。本発明のこの実施形態では、取付部材２１４の一方の側面は、ディスク・ドライブ１００の製造プロセスにおけるある時点で、ディスク・ドライブ１００の頂部カバー１０４に固定されている。取外し可能な薄い非接着性フィルム（図示せず）が、取付部材２１４の、頂部カバー１０４から離れて面している面を覆っている。したがって、ディスク・ドライブ１００の購入者あるいは最終ユーザが、平坦な固定表面２１０へのディスク・ドライブ１００の取付けを希望する場合、単純に取付部材２１４から非接着性フィルムを除去し、取付部材２１４の露出した接着面を平坦な固定表面２１０に押し付けて接触させることができる。例えば、平坦な表面がコンピュータ・ハウジング壁の１つからなっているか、あるいはコンピュータ・ハウジング２１２内に設けられた平坦な薄板金プレートからなっている、コンピュータ・ハウジング２１２内の平坦な固定表面２１０にディスク・ドライブを取り付けることができる。その高い面内こわさにより、平坦な薄板金プレートは、ディスク・ドライブ取付け用として典型的に使用されている折曲げ金属ブラケットと比較した場合、ディスク・ドライブの取付け用として極めて剛直な基礎を提供している。ディスク・ドライブ取付けの剛直性が増すという利点に加えて、本発明をこのような方法で使用することにより、専用取付けブラケットの必要性及び費用が排除される。さらに、複数のディスク・ドライブを並べて配置することができ、あるいは平坦な薄板金プレートの平坦な固定表面２１０の反対側に配置することができる。
【００３９】
図７に示すように、平坦な固定支持表面にディスク・ドライブ１００を取り付けるための好ましい方法は、ディスク・ドライブ１００の質量中心１３６を決定するステップ７１０から開始される。ディスク・ドライブ１００の質量中心１３６の決定は、良く知られている多数の方法の中の任意の方法によって実現することができる。例えば、ドライブ上の異なる２つのポイントからディスク・ドライブ１００を懸垂することによって、質量中心１３６を実験的に決定することができる。この方法を用いてドライブ上の第１のポイントからディスク・ドライブ１００を懸垂し、ドライブが平衡しているときの線を引くことができる（下げ振りによって確立することができる）。次に、ドライブ上の第２のポイントからディスク・ドライブ１００を懸垂し、第１の線と同様の方法で第２の線を引くことができる。この場合、ディスク・ドライブ１００の質量中心１３６は、第１の線と第２の線の交点に対応することになる。
【００４０】
ディスク・ドライブ１００の質量中心１３６が確立されると、次に取付けステップ７１２で、取付部材２１４がディスク・ドライブ１００の外部表面に位置付けされ、取り付けられる。取付部材２１４は、取付部材２１４が質量軸線２１６の周りに心出しされるように、ディスク・ドライブ１００の頂部カバー１０４に取り付けられることが好ましい。言い換えると、取付部材２１４は、質量軸線２１６が取付部材２１４を貫通するように、頂部カバー１０４に位置付けされ、取り付けられることが好ましい。既に説明したように、取付部材２１４は、接着剤を使用して頂部カバー１０４に取り付けられることが好ましい。
【００４１】
次に、決定ステップ７１４で、図２に示すようなコンピュータ・ハウジング２１２の内部壁など、平坦な固定表面２１０へのディスク・ドライブ１００の適切な取付け位置が決定される。平坦な固定表面上の位置が決定されると、取付部材２１４と平坦な固定表面２１０の間に良好な結合が実現されるよう、平坦な表面２１０が完全に洗浄され、かつ、滑らかにされることが好ましい。
【００４２】
最後に、取付けステップ７１０で、取付部材２１４を介して、平坦な固定支持表面２１０にディスク・ドライブ１００が取り付けられる。既に説明したように、取付部材２１４、したがってディスク・ドライブ１００は、接着剤を使用して平坦な固定支持表面２１０に取り付けられることが好ましい。
【００４３】
本発明により、簡易取付け技法が提供され、同時に、本発明を使用したディスク・ドライブの動的性能が改善される。本発明によって提供される従来のディスク・ドライブ取付け技法に優る他の利点は、本発明に付随してコストが節約されることである。本発明によって提供されるコストの節約は、他にもあるが、ディスク・ドライブに孔を穿ち、かつ、タッピングする必要がないこと、取付けねじが必要ないこと、拘束層音響減衰プレートが必要ないこと、及び取付けブラケットが必要ないことによるものである。
【００４４】
総括すると、以上の考察の観点から、本発明の一実施形態が、データ記憶デバイス（１００など）を平坦な固定支持表面（２１０など）に取り付けるための装置を備えていることが理解されよう。この実施形態では、データ記憶デバイスは、平坦な外部表面（１０４など）を備えた外ハウジング及び回転軸（１０９など）の周りを回転するハウジング内の記憶媒体（１０８など）を好ましく有している。データ記憶デバイスは、回転軸に平行で、かつ、記憶デバイスの平坦な外部表面を貫通して延びた質量軸線（２１６など）を有する質量中心（１３６など）を有している。また、本発明のこの実施形態には、データ記憶デバイスの平坦な外部表面に取り付けられ、かつ、質量軸線の周りに延びた第１の表面（２１８など）、及び平坦な固定表面に固定するための第２の表面（２２０など）を有する取付部材（２１４など）が含まれているのが好ましい。
【００４５】
本発明のこの実施形態では、取付部材は、質量軸線の周りに対称に好ましく配置されている（２１４、４１４、５１４又は６１４など）。例えば、取付部材（２１８又は４１４など）は、質量軸線の周りにほぼ対称に配置された円形の外周線を有することができる。また、取付部材（２１４など）は、質量軸線の周りにほぼ対称に配置された外周線を有する環状形状を有することもできる。
【００４６】
取付部材は、粘弾性特性を有する減衰材からなっていることが好ましい。例えば、取付部材は、重合体粘弾性両面接着フィルムなどの粘弾性テープを備えることができる。取付部材の第１の表面（２１８など）は、データ記憶デバイスの平坦な外部表面に接着取付けされることが好ましい。データ記憶デバイスは、ディスク・ドライブ（１００など）であることが好ましく、また、平坦な固定支持表面は、コンピュータ・ハウジング（２１２など）であることが好ましい。
【００４７】
本発明の他の実施形態は、データ記憶デバイス（１００など）を、第１の接着面（２１８など）及び第２の接着面（２２０など）を有する取付部材（２１４など）を使用して、平坦な固定支持表面（２１０など）に固定するための方法に関している。本発明のこの第２の実施形態では、データ記憶デバイスは、平坦な外部表面（１０４など）を有する外ハウジング及び回転軸（１０９など）の周りを回転するハウジング内の記憶媒体（１０８など）を好ましく有している。本発明のこの実施形態では、記憶デバイスは、回転軸に平行で、かつ、平坦な外部表面を貫通して延びた質量軸線（２１６など）を有するハウジング内に質量中心（１３６など）を有しているのが好ましい。
【００４８】
本発明のこの実施形態による方法には、データ記憶デバイスの質量中心を決定するステップ（７１０など）、取付部材の第１の接着面を、取付部材が質量軸線の周りに延びるように、データ記憶デバイスの平坦な外部表面に取り付けるステップ（７１２など）、及び取付部材の第２の接着面を平坦な固定支持表面に取り付けるステップ（７１４など）が含まれているのが好ましく、それにより平坦な固定支持表面にデータ記憶デバイスが固定される。
【００４９】
本発明のこの実施形態の取付けステップには、取付部材の第１の接着面を、取付部材の外周線が質量軸線の周りに対称に配置されるように、データ記憶デバイスの平坦な外部表面に取り付けるステップがさらに含まれているのが好ましい。
【００５０】
本発明による方法の代替実施形態では、取付部材は、環状形状の重合体粘弾性両面接着フィルム（２１４など）を備えているのが好ましい。この代替実施形態では、取付けステップには、取付部材の第１の接着面を、取付部材が質量軸線の周りに対称に配置されるように、データ記憶デバイスの平坦な外部表面に取り付けるステップがさらに含まれているのが好ましい。
【００５１】
本発明の他の実施形態は、ディスク・ドライブ（１００など）を平坦な固定支持表面（２１２など）に固定するためのシステムを対象にしている。この実施形態によるシステムは、平坦な外部表面（１０４など）及びディスク・ドライブの平坦な外部表面に取り付けられた、平坦な固定支持表面にディスク・ドライブを接着固定するための取付け手段（２１４など）を有するディスク・ドライブを備えているのが好ましい。
【００５２】
本発明が、本発明に固有の目的及び利点の他に、上で言及した目的及び利点を達成するべく良好に適合していることは明らかであろう。本開示用として、現時点における好ましい実施形態について説明したが、本発明の範囲内において、様々な変更及び改変を加えることが可能であり、それらは開示した本発明の精神及び特許請求の範囲の各請求項の定義に包含されるものである。
【図面の簡単な説明】
【図１】
本発明を実践するための使用に適したディスク・ドライブの平面図である。
【図２】
本発明の実施形態による取付を介して平坦な固定支持表面に取り付けられた、図１に示すディスク・ドライブの斜視図である。
【図３】
本発明の好ましい実施形態による取付部材の配置を図解した、図２に示すディスク・ドライブの分解図である。
【図４】
取付部材の代替形状を図解した、図２に示すディスク・ドライブの平面図である。
【図５】
取付部材の代替形状を図解した、図２に示すディスク・ドライブの平面図である。
【図６】
取付部材の代替形状を図解した、図２に示すディスク・ドライブの平面図である。
【図７】
本発明の実施形態の実践で実行される全体ステップを示す流れ図である。
【図７】
2004510280.tif 000003
【国際公開パンフレット】
2004510280.tif 000004
2004510280.tif 000005
2004510280.tif 000006
2004510280.tif 000007
2004510280.tif 000008
2004510280.tif 000009
2004510280.tif 000010
2004510280.tif 000011
2004510280.tif 000012
2004510280.tif 000013
2004510280.tif 000014
2004510280.tif 000015
2004510280.tif 000016
2004510280.tif 000017
2004510280.tif 000018
2004510280.tif 000019
2004510280.tif 000020
2004510280.tif 000021
2004510280.tif 000022
2004510280.tif 000023
2004510280.tif 000024
2004510280.tif 000025
2004510280.tif 000026
2004510280.tif 000027
2004510280.tif 000028
2004510280.tif 000029
【国際公開パンフレット（コレクトバージョン）】
2004510280.tif 000030
【国際公開パンフレット（コレクトバージョン）】
2004510280.tif 000031
【国際調査報告】
2004510280.tif 000032
2004510280.tif 000033